(57)【特許請求の範囲】
【請求項１】
物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、
少なくとも一部のズーミング域で、第４レンズ群と第５レンズ群の双方がフォーカシング時に移動するフォーカスレンズ群を構成すること、及び
次の条件式（３）を満足すること、
を特徴とするズームレンズ系。
（３）−０．１２≦Ｆ４／Ｆｔ＜−０．０５
但し、
Ｆ４：第４レンズ群の焦点距離、
Ｆｔ：長焦点距離端における全系の焦点距離。
【請求項２】
請求項１記載のズームレンズ系において、
第４レンズ群が単独でフォーカスレンズ群を構成するズーミング域、第５レンズ群が単独でフォーカスレンズ群を構成するズーミング域、及び第４レンズ群と第５レンズ群の双方がフォーカスレンズ群を構成するズーミング域の少なくとも２つを有しているズームレンズ系。
【請求項３】
請求項１または２記載のズームレンズ系において、
短焦点距離端における第４レンズ群のフォーカシング移動量は第５レンズ群のフォーカシング移動量よりも小さいズームレンズ系。
【請求項４】
請求項３記載のズームレンズ系において、
次の条件式（１）を満足するズームレンズ系。
（１）−０．６＜ｄＷ４／ｄＷ５＜０．２
但し、
ｄＷ４：短焦点距離端における無限遠物体から任意の有限距離物体へのフォーカシング時の第４レンズ群のフォーカシング移動量（像側に向かって移動する方向を正とし、物体側に向かって移動する方向を負とする）、
ｄＷ５：短焦点距離端における無限遠物体から任意の有限距離物体へのフォーカシング時の第５レンズ群のフォーカシング移動量（像側に向かって移動する方向を正とし、物体側に向かって移動する方向を負とする）。
【請求項５】
請求項１ないし４のいずれか１項記載のズームレンズ系において、
第４レンズ群のフォーカシング移動量に対する第５レンズ群のフォーカシング移動量の比は、ズーミングによる焦点距離変化に応じて変化し、次の条件式（２）を満足するズームレンズ系。
（２）−０．８＜ｄＸ５／ｄＸ４≦０
但し、
ｄＸ５：中間焦点距離と長焦点距離端の間の任意の焦点距離における無限遠物体から任意の有限距離物体へのフォーカシング時の第５レンズ群のフォーカシング移動量（像側に向かって移動する方向を正とし、物体側に向かって移動する方向を負とする）、
ｄＸ４：中間焦点距離と長焦点距離端の間の任意の焦点距離における無限遠物体から任意の有限距離物体へのフォーカシング時の第４レンズ群のフォーカシング移動量（像側に向かって移動する方向を正とし、物体側に向かって移動する方向を負とする）。
【請求項６】
請求項１ないし５のいずれか１項記載のズームレンズ系において、
第４レンズ群は負単レンズからなり、次の条件式（４）を満足するズームレンズ系。
（４）−０．３＜（Ｒａ＋Ｒｂ）／（Ｒａ−Ｒｂ）＜０．８
但し、
Ｒａ：第４レンズ群の負単レンズの物体側の面の曲率半径、
Ｒｂ：第４レンズ群の負単レンズの像側の面の曲率半径。
【請求項７】
請求項１ないし６のいずれか１項記載のズームレンズ系において、
第５レンズ群は正単レンズからなるズームレンズ系。
【発明の詳細な説明】
【技術分野】
【０００１】
本発明は、ズームレンズ系に関する。
【背景技術】
【０００２】
特許文献１−３には、変倍比が１０倍〜２０倍程度のズームレンズ系として、物体側から順に、正の屈折力の第１レンズ群、負の屈折力の第２レンズ群、正の屈折力の第３レンズ群、負の屈折力の第４レンズ群、及び正の屈折力の第５レンズ群からなるズームレンズ系が開示されている。特許文献１のズームレンズ系では第５レンズ群をフォーカスレンズ群として使用しており、特許文献２、３のズームレンズ系では第４レンズ群をフォーカスレンズ群として使用している。
【０００３】
このうち、特許文献１のズームレンズ系は、特に長焦点距離端において近距離性能が悪化しやすく、フォーカシング移動量が大きくなるため最短撮影距離を短くすることができない。また、特許文献２、３のズームレンズ系は、特に短焦点距離端において近距離性能が悪化しやすく、短焦点距離端から長焦点距離端までの全てのズーミング域で近距離性能を良化させるために第４レンズ群のパワーを弱くしているのでレンズ全長が長くなってしまう。さらに、特許文献１−３のいずれのズームレンズ系にあっても、フォーカスレンズ群に要求されるフォーカシング移動量はズーミング域（焦点距離）によって異なり、特に長焦点距離端や短焦点距離端などの変倍時にレンズ群が接近するズーミング域においては、フォーカシング移動量を大きくするとレンズ系の小型化の障害となる。
【先行技術文献】
【特許文献】
【０００４】
【特許文献１】特開２０１１−２５２９６２号公報
【特許文献２】特開２０１１−１８６４１７号公報
【特許文献３】特開２０１１−２３２５４３号公報
【発明の概要】
【発明が解決しようとする課題】
【０００５】
本発明は、以上の問題意識に基づいて完成されたものであり、変倍比が２８〜３０倍程度の高変倍化を達成でき、短焦点距離端から長焦点距離端までの全てのズーミング域で近距離性能が良好であり、レンズ系を小型化（レンズ全長を短縮化）することができるズームレンズ系を得ることを目的とする。
【課題を解決するための手段】
【０００６】
本発明のズームレンズ系は、物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、少なくとも一部のズーミング域で、第４レンズ群と第５レンズ群の双方がフォーカシング時に移動するフォーカスレンズ群を構成すること、及び次の条件式（３）を満足すること、を特徴としている。
（３）−０．１２≦Ｆ４／Ｆｔ＜−０．０５
但し、
Ｆ４：第４レンズ群の焦点距離、
Ｆｔ：長焦点距離端における全系の焦点距離、
である。
【０００７】
本発明のズームレンズ系は、第４レンズ群が単独でフォーカスレンズ群を構成するズーミング域、第５レンズ群が単独でフォーカスレンズ群を構成するズーミング域、及び第４レンズ群と第５レンズ群の双方がフォーカスレンズ群を構成するズーミング域の少なくとも２つを設けることができる。
【０００８】
短焦点距離端においては、第４レンズ群のフォーカシング移動量を第５レンズ群のフォーカシング移動量よりも小さく設定することが実際的である。このとき、第４レンズ群のフォーカシング移動量と第５レンズ群のフォーカシング移動量は次の条件式（１）を満足することが好ましい。
（１）−０．６＜ｄＷ４／ｄＷ５＜０．２
但し、
ｄＷ４：短焦点距離端における無限遠物体から任意の有限距離物体へのフォーカシング時の第４レンズ群のフォーカシング移動量（像側に向かって移動する方向を正とし、物体側に向かって移動する方向を負とする）、
ｄＷ５：短焦点距離端における無限遠物体から任意の有限距離物体へのフォーカシング時の第５レンズ群のフォーカシング移動量（像側に向かって移動する方向を正とし、物体側に向かって移動する方向を負とする）、
である。
【０００９】
第４レンズ群のフォーカシング移動量に対する第５レンズ群のフォーカシング移動量の比は、ズーミングによる焦点距離変化に応じて変化させることができる。このとき、第４レンズ群のフォーカシング移動量に対する第５レンズ群のフォーカシング移動量は次の条件式（２）を満足することが好ましい。
（２）−０．８＜ｄＸ５／ｄＸ４≦０
但し、
ｄＸ５：中間焦点距離と長焦点距離端の間の任意の焦点距離における無限遠物体から任意の有限距離物体へのフォーカシング時の第５レンズ群のフォーカシング移動量（像側に向かって移動する方向を正とし、物体側に向かって移動する方向を負とする）、
ｄＸ４：中間焦点距離と長焦点距離端の間の任意の焦点距離における無限遠物体から任意の有限距離物体へのフォーカシング時の第４レンズ群のフォーカシング移動量（像側に向かって移動する方向を正とし、物体側に向かって移動する方向を負とする）、
である。
【００１１】
本発明のズームレンズ系は、第４レンズ群を負単レンズから構成し、次の条件式（４）を満足することが好ましい。
（４）−０．３＜（Ｒａ＋Ｒｂ）／（Ｒａ−Ｒｂ）＜０．８
但し、
Ｒａ：第４レンズ群の負単レンズの物体側の面の曲率半径、
Ｒｂ：第４レンズ群の負単レンズの像側の面の曲率半径、
である。
【００１２】
本発明のズームレンズ系は、第５レンズ群を正単レンズから構成することが好ましい。
【発明の効果】
【００１３】
本発明によれば、変倍比が２８〜３０倍程度の高変倍化を達成でき、短焦点距離端から長焦点距離端までの全てのズーミング域で近距離性能が良好であり、レンズ系を小型化（レンズ全長を短縮化）することができるズームレンズ系が得られる。
【図面の簡単な説明】
【００１４】
【図１】本発明によるズームレンズ系の数値実施例１の短焦点距離端における無限遠合焦時のレンズ構成図である。
【図２】図１のように構成されたズームレンズ系の短焦点距離端における無限遠合焦時の諸収差図である。
【図３】図１のように構成されたズームレンズ系の中間焦点距離における無限遠合焦時の諸収差図である。
【図４】図１のように構成されたズームレンズ系の長焦点距離端における無限遠合焦時の諸収差図である。
【図５】本発明によるズームレンズ系の数値実施例２の短焦点距離端における無限遠合焦時のレンズ構成図である。
【図６】図５のように構成されたズームレンズ系の短焦点距離端における無限遠合焦時の諸収差図である。
【図７】図５のように構成されたズームレンズ系の中間焦点距離における無限遠合焦時の諸収差図である。
【図８】図５のように構成されたズームレンズ系の長焦点距離端における無限遠合焦時の諸収差図である。
【図９】本発明によるズームレンズ系の数値実施例３の短焦点距離端における無限遠合焦時のレンズ構成図である。
【図１０】図９のように構成されたズームレンズ系の短焦点距離端における無限遠合焦時の諸収差図である。
【図１１】図９のように構成されたズームレンズ系の中間焦点距離における無限遠合焦時の諸収差図である。
【図１２】図９のように構成されたズームレンズ系の長焦点距離端における無限遠合焦時の諸収差図である。
【図１３】本発明によるズームレンズ系の数値実施例４の短焦点距離端における無限遠合焦時のレンズ構成図である。
【図１４】図１３のように構成されたズームレンズ系の短焦点距離端における無限遠合焦時の諸収差図である。
【図１５】図１３のように構成されたズームレンズ系の中間焦点距離における無限遠合焦時の諸収差図である。
【図１６】図１３のように構成されたズームレンズ系の長焦点距離端における無限遠合焦時の諸収差図である。
【図１７】本発明によるズームレンズ系の数値実施例５の短焦点距離端における無限遠合焦時のレンズ構成図である。
【図１８】図１７のように構成されたズームレンズ系の短焦点距離端における無限遠合焦時の諸収差図である。
【図１９】図１７のように構成されたズームレンズ系の中間焦点距離における無限遠合焦時の諸収差図である。
【図２０】図１７のように構成されたズームレンズ系の長焦点距離端における無限遠合焦時の諸収差図である。
【図２１】本発明によるズームレンズ系の数値実施例６の短焦点距離端における無限遠合焦時のレンズ構成図である。
【図２２】図２１のように構成されたズームレンズ系の短焦点距離端における無限遠合焦時の諸収差図である。
【図２３】図２１のように構成されたズームレンズ系の中間焦点距離における無限遠合焦時の諸収差図である。
【図２４】図２１のように構成されたズームレンズ系の長焦点距離端における無限遠合焦時の諸収差図である。
【図２５】本発明によるズームレンズ系のズーム軌跡を示す簡易移動図である。
【発明を実施するための形態】
【００１５】
本実施形態のズームレンズ系は、全数値実施例１−６を通じて、図２５の簡易移動図に示すように、物体側から順に、正の屈折力の第１レンズ群、負の屈折力の第２レンズ群、正の屈折力の第３レンズ群、負の屈折力の第４レンズ群、及び正の屈折力の第５レンズ群からなる。
【００１６】
本実施形態のズームレンズ系では、全数値実施例１−６を通じて、図２５の簡易移動図に示すように、短焦点距離端（Ｗｉｄｅ）から長焦点距離端（Ｔｅｌｅ）への変倍（ズーミング）に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が一旦増大した後に減少し、第４レンズ群Ｇ４と第５レンズ群Ｇ５の間隔が増大するように、第１レンズ群Ｇ１ないし第５レンズ群Ｇ５の全てのレンズ群が移動する。
【００１７】
より具体的には、短焦点距離端から長焦点距離端への変倍に際し、第１レンズ群Ｇ１が単調に物体側に移動し、第２レンズ群Ｇ２が像側に凸の軌跡を描きながら像側に移動し、第３レンズ群Ｇ３が単調に物体側に移動し、第４レンズ群Ｇ４が像側に凸の軌跡を描きながら物体側に移動し、第５レンズ群Ｇ５が一旦物体側に移動した後に像側に戻る（Ｕターンする）。但し、第１レンズ群Ｇ１ないし第５レンズ群Ｇ５の移動軌跡には自由度がある。
【００１８】
第１レンズ群Ｇ１は、全数値実施例１−６を通じて、物体側から順に、負レンズ１１、正レンズ１２、及び正レンズ１３の３枚のレンズからなる。負レンズ１１と正レンズ１２は、数値実施例１−４、６では接合されており、数値実施例５では接合されていない。
【００１９】
第２レンズ群Ｇ２は、数値実施例１−４では、物体側から順に、負レンズ２１、正レンズ２２、負レンズ２３、及び正レンズ２４の４枚のレンズからなる。負レンズ２１はその両面が非球面である。
第２レンズ群Ｇ２は、数値実施例５、６では、物体側から順に、負レンズ２１’、負レンズ２２’、正レンズ２３’、及び負レンズ２４’の４枚のレンズからなる。正レンズ２３’はその物体側の面が非球面である。
【００２０】
第３レンズ群Ｇ３は、数値実施例１−５では、物体側から順に、正レンズ３１、物体側から順に位置する正レンズ３２と負レンズ３３の接合レンズ、及び正レンズ３４の４枚のレンズからなる。正レンズ３１はその両面が非球面である。
第３レンズ群Ｇ３は、数値実施例６では、物体側から順に、正レンズ３１’、負レンズ３２’、及び正レンズ３３’の３枚のレンズからなる。正レンズ３１’はその両面が非球面である。
【００２１】
第４レンズ群Ｇ４は、数値実施例１−４では両面が非球面の負単レンズ４１からなり、数値実施例５、６では両面が球面の負単レンズ４１からなる。
【００２２】
第５レンズ群Ｇ５は、全数値実施例１−６を通じて、その両面が非球面の正単レンズ５１からなる。
【００２３】
第４レンズ群Ｇ４（負単レンズ４１）と第５レンズ群Ｇ５（正単レンズ５１）は、フォーカシング時に移動するフォーカスレンズ群である。本実施形態では、無限遠物体から有限距離物体へ合焦させるに際し、少なくとも一部の焦点距離領域（ズーミング域）で、第４レンズ群Ｇ４（負単レンズ４１）を物体側または像側に移動させかつ第５レンズ群Ｇ５（正単レンズ５１）を物体側に移動させている（第４レンズ群Ｇ４と第５レンズ群Ｇ５の双方がフォーカスレンズ群を構成している）。
【００２４】
より具体的に、数値実施例１、５では、短焦点距離端から長焦点距離端までの焦点距離領域（ズーミング域）において、第５レンズ群Ｇ５（正単レンズ５１）のみを物体側に移動させてフォーカシングを行うズーミング域と、第４レンズ群Ｇ４（負単レンズ４１）を像側に移動させかつ第５レンズ群Ｇ５（正単レンズ５１）を物体側に移動させてフォーカシングを行うズーミング域とが存在する。
数値実施例２、３では、短焦点距離端から長焦点距離端までの全ての焦点距離領域（ズーミング域）を通じて、第４レンズ群Ｇ４（負単レンズ４１）を物体側または像側に移動させかつ第５レンズ群Ｇ５（正単レンズ５１）を物体側に移動させることでフォーカシングを行っている。
数値実施例４では、短焦点距離端から長焦点距離端までの焦点距離領域（ズーミング域）において、第４レンズ群Ｇ４（正単レンズ４１）のみを像側に移動させてフォーカシングを行うズーミング域と、第４レンズ群Ｇ４（負単レンズ４１）を像側に移動させかつ第５レンズ群Ｇ５（正単レンズ５１）を物体側に移動させてフォーカシングを行うズーミング域とが存在する。
数値実施例６では、短焦点距離端から長焦点距離端までの焦点距離領域（ズーミング域）において、第４レンズ群Ｇ４（正単レンズ４１）のみを像側に移動させてフォーカシングを行うズーミング域と、第５レンズ群Ｇ５（正単レンズ５１）のみを物体側に移動させてフォーカシングを行うズーミング域と、第４レンズ群Ｇ４（負単レンズ４１）を像側に移動させかつ第５レンズ群Ｇ５（正単レンズ５１）を物体側に移動させてフォーカシングを行うズーミング域とが存在する。
【００２５】
ズームレンズ系において１つのレンズ群によってフォーカシングを行うタイプ（例えば本実施形態の第４レンズ群Ｇ４または第５レンズ群Ｇ５のみによってフォーカシングを行うタイプ）では、短焦点距離端から長焦点距離端までの全てのズーミング域で無限遠物体から近距離物体への合焦時の光学性能を良好にするのは極めて困難であり、無理にこれを達成するためにはフォーカスレンズ群の屈折力を弱くしなければならないためレンズ系の大型化が避けられない。また、フォーカスレンズに要求されるフォーカシング移動量はズーミング域（焦点距離）によって異なり、特に長焦点距離端や短焦点距離端などの変倍時にレンズ群が接近するズーミング域においては、フォーカシング移動量が大きいとレンズ系の小型化の障害となる。
【００２６】
そこで本実施形態のズームレンズ系は、数値実施例１、５では、短焦点距離端から長焦点距離端までのズーミング域に応じて、第５レンズ群Ｇ５が単独でフォーカシングを実行するズーミング域と、第４レンズ群Ｇ４と第５レンズ群Ｇ５の双方でフォーカシングを実行するズーミング域とを切り替えている。
また本実施形態のズームレンズ系は、数値実施例２、３では、短焦点距離端から長焦点距離端までの全てのズーミング域を通じて、第４レンズ群Ｇ４と第５レンズ群Ｇ５の双方でフォーカシングを実行している。
また本実施形態のズームレンズ系は、数値実施例４では、短焦点距離端から長焦点距離端までのズーミング域に応じて、第４レンズ群Ｇ４が単独でフォーカシングを実行するズーミング域と、第４レンズ群Ｇ４と第５レンズ群Ｇ５の双方でフォーカシングを実行するズーミング域とを切り替えている。
さらに本実施形態のズームレンズ系は、数値実施例６では、短焦点距離端から長焦点距離端までのズーミング域に応じて、第４レンズ群Ｇ４が単独でフォーカシングを実行するズーミング域と、第５レンズ群Ｇ５が単独でフォーカシングを実行するズーミング域と、第４レンズ群Ｇ４と第５レンズ群Ｇ５の双方でフォーカシングを実行するズーミング域とを切り替えている。
そして本実施形態のズームレンズ系は、全数値実施例１−６を通じて、第４レンズ群Ｇ４と第５レンズ群Ｇ５の双方でフォーカシングを実行するズーミング域において、第４レンズ群Ｇ４と第５レンズ群Ｇ５のフォーカシング移動量の比率をズームステップごとに最適化することによって、全てのズーミング域で近距離性能を良好にするとともに、レンズ系を小型化（レンズ全長を短縮化）することに成功している。
【００２７】
本明細書で「フォーカシング移動量」とは、無限遠にある物体に合焦している状態から任意の有限距離にある物体に合焦させるときのフォーカスレンズ群の移動距離[mm]を意味している。
【００２８】
より具体的には、短焦点距離端かつ所定の物体距離において、第４レンズ群Ｇ４のフォーカシング移動量を第５レンズ群Ｇ５のフォーカシング移動量よりも小さく設定し、その移動量比が条件式（１）を満足するようにしている。条件式（１）を満足することで、短焦点距離端において主に第５レンズ群Ｇ５でフォーカシングを行うので近接合焦時（近距離物体に合焦した時、以下同じ）の光学性能が良好になり、また短焦点距離端における第４レンズ群Ｇ４のフォーカシング移動量を抑えてレンズ系を小型化することができる。
条件式（１）の上限を超えると、短焦点距離端において正のピント感度を有する第５レンズ群Ｇ５のフォーカシング移動量に対して負のピント感度を有する第４レンズ群Ｇ４のフォーカシング移動量が同じ方向に大きくなりすぎて、近接合焦時の光学性能が悪化するとともに、レンズ系の小型化が困難になる。
条件式（１）の下限を超えると、短焦点距離端における第５レンズ群Ｇ５のフォーカシング移動量に対して第４レンズ群Ｇ４のフォーカシング移動量が逆方向に大きくなりすぎて、同様に近接合焦時の光学性能が悪化してしまう。
【００２９】
条件式（２）は、ズーミングによる焦点距離変化に応じて第４レンズ群Ｇ４と第５レンズ群Ｇ５のフォーカシング移動量比を変化させる場合に、中間焦点距離と長焦点距離端の間の所定の焦点距離かつ所定の物体距離において第４レンズ群Ｇ４と第５レンズ群Ｇ５とのフォーカシング移動量比が満足すべき条件を表している。条件式（２）を満足することで、第４レンズ群Ｇ４のフォーカシング移動量と第５レンズ群Ｇ５のフォーカシング移動量とのバランスが好適になり、近接合焦時の光学性能を良好にするとともに、レンズ系を小型化することができる。
条件式（２）の上限を超えると、中間焦点距離と長焦点距離端の間の所定の焦点距離におけるフォーカシング時に、ピント感度が逆である第４レンズ群Ｇ４と第５レンズ群Ｇ５が同じ方向に移動することになるため、第４レンズ群のフォーカス移動量の増大を招くことに加え、近接合焦時の光学性能が悪化してしまう。
条件式（２）の下限を超えると、中間焦点距離と長焦点距離端の間の所定の焦点距離におけるフォーカシング時に、第４レンズ群Ｇ４のフォーカシング移動量に対して第５レンズ群Ｇ５のフォーカシング移動量が逆方向に大きくなりすぎて、近接合焦時の光学性能が悪化してしまう。
【００３０】
条件式（３）は、フォーカスレンズ群である第４レンズ群Ｇ４の焦点距離と、長焦点距離端における全系の焦点距離との比を規定している。条件式（３）を満足することで、第４レンズ群Ｇ４のフォーカシング移動量を小さくしてフォーカス機構系を含めた装置全体を小型化するとともに、無限遠物体から近距離物体への合焦時の性能変動を抑えて優れた光学性能を得ることができる。
条件式（３）の上限を超えると、第４レンズ群Ｇ４の負の屈折力が強くなりすぎて、第４レンズ群Ｇ４のフォーカシング移動量は小さくできるが、無限遠物体から近距離物体への合焦時の性能変動が大きくなって光学性能が劣化してしまう。
条件式（３）の下限を超えると、第４レンズ群Ｇ４の負の屈折力が弱くなりすぎて、第４レンズ群Ｇ４のフォーカシング移動量が大きくなり、フォーカス機構系を含めた装置全体が大型化してしまう。
【００３１】
本実施形態のズームレンズ系は、フォーカスレンズ群である第４レンズ群Ｇ４と第５レンズ群Ｇ５を負単レンズ４１と正単レンズ５１で構成することで、フォーカスレンズ群を軽量化して迅速なフォーカシングを実現可能としている。
【００３２】
条件式（４）は、フォーカスレンズである第４レンズ群Ｇ４の負単レンズ４１のシェーピングファクター（形状）を規定している。条件式（４）を満足することで、近距離物体へ合焦したときの収差変動を抑えて優れた光学性能を得ることができる。
条件式（４）の上限を超えると、フォーカスレンズである負単レンズ４１の像側の面の曲率半径がきつくなりすぎて、近距離物体へ合焦したときの収差変動が大きくなってしまう。
条件式（４）の下限を超えると、フォーカスレンズである負単レンズ４１の物体側の面の曲率半径がきつくなりすぎて、近距離物体に合焦したときの収差変動が大きくなってしまう。
【実施例】
【００３３】
次に具体的な数値実施例を示す。諸収差図及び表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。長さの単位は[mm]である。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００３４】
［数値実施例１］
図１〜図４と表１〜表６は、本発明によるズームレンズ系の数値実施例１を示している。図１は、短焦点距離端における無限遠合焦時のレンズ構成図である。図２、図３、図４はそれぞれ、短焦点距離端、中間焦点距離、長焦点距離端それぞれの無限遠合焦時の諸収差図である。表１は面データ、表２は各種データ、表３は非球面データ、表４はレンズ群データ、表５は物体距離ごとの各レンズ群の可変間隔データ、表６は物体距離ごとの各レンズ群のフォーカシング移動量である。
【００３５】
本数値実施例１のズームレンズ系は、物体側から順に、正の屈折力の第１レンズ群Ｇ１、負の屈折力の第２レンズ群Ｇ２、正の屈折力の第３レンズ群Ｇ３、負の屈折力の第４レンズ群Ｇ４、及び正の屈折力の第５レンズ群Ｇ５からなる。第２レンズ群Ｇ２と第３レンズ群Ｇ３の間に位置する絞りＳは、第３レンズ群Ｇ３と一体に移動する。第５レンズ群Ｇ５の後方（像面Ｉとの間）には、光学フィルタＯＰとカバーガラスＣＧが配置されている。
【００３６】
第１レンズ群Ｇ１は、物体側から順に、物体側から順に位置する物体側に凸の負メニスカスレンズ１１と両凸正レンズ１２の接合レンズ、及び物体側に凸の正メニスカスレンズ１３からなる。
【００３７】
第２レンズ群Ｇ２は、物体側から順に、物体側に凸の負メニスカスレンズ２１、両凸正レンズ２２、両凹負レンズ２３、及び両凸正レンズ２４からなる。負メニスカスレンズ２１はその両面が非球面である。
【００３８】
第３レンズ群Ｇ３は、物体側から順に、両凸正レンズ３１、物体側から順に位置する両凸正レンズ３２と両凹負レンズ３３の接合レンズ、及び両凸正レンズ３４からなる。両凸正レンズ３１はその両面が非球面である。
【００３９】
第４レンズ群Ｇ４は、その両面が非球面の両凹負単レンズ４１からなる。
【００４０】
第５レンズ群Ｇ５は、その両面が非球面の両凸正単レンズ５１からなる。
【００４１】
（表１）
面データ
面番号          r          d          N(d)        νｄ
1            62.517      1.200      1.83400       37.3
2            29.256      3.934      1.43700       95.1
3          -171.564      0.100
4            27.104      2.725      1.59282       68.6
5           125.504        d5
6*           75.399      0.700      1.76802       49.2
7*            5.930      2.439
8            81.944      1.026      1.84666       23.8
9           -81.944      0.977
10          -12.123      0.600      1.80420       46.5
11           20.073      0.050
12           14.323      1.665      1.92286       20.9
13         -481.491       d13
14絞           ∞        0.000
15*           7.379      2.609      1.58913       61.2
16*         -21.627      0.100
17           13.776      1.454      1.58913       61.2
18          -23.970      0.500      1.91082       35.2
19            6.314      0.537
20            8.767      2.050      1.51680       64.2
21          -11.232       d21
22*         -17.820      1.200      1.49710       81.6
23*          15.248       d23
24*         318.350      1.600      1.54358       55.7
25*         -14.379       d25
26             ∞        0.300      1.51680       64.2
27             ∞        0.560
28             ∞        0.500      1.51680       64.2
29             ∞          -
＊は回転対称非球面である。
（表２）
各種データ
ズーム比（変倍比）    28.64
短焦点距離端          中間焦点距離          長焦点距離端
FNO.            3.5                   5.3                   6.0
f              4.60                 23.52                131.75
W              41.4                   9.4                   1.7
Y              3.50                  4.01                  4.01
fB             0.57                  0.57                  0.57
L             60.72                 72.86                 87.00
d5            0.500                20.019                37.310
d13          22.578                 6.866                 0.478
d21           2.177                 6.592                 2.362
d23           2.550                 6.862                16.954
d25           5.516                 5.126                 2.500
（表３）
非球面データ（表示していない非球面係数は0.00である）
面番号   K          A4           A6           A8          A10
6     0.000   -0.9238E-04   0.3285E-05  -0.3073E-07
7     0.000   -0.2542E-03   0.1652E-05  -0.1492E-07   0.3300E-08
15   -1.000   -0.2678E-04  -0.6971E-05  -0.5220E-06   0.2752E-08
16    0.000    0.7667E-04  -0.7854E-05  -0.7288E-06
22    0.000    0.5411E-03   0.1310E-03  -0.1338E-04   0.4233E-06
23    0.000    0.6944E-03   0.1040E-03  -0.6242E-05
24    0.000   -0.1105E-03  -0.7493E-05  -0.6915E-06  -0.2289E-08
25    0.000    0.1054E-03  -0.2115E-04  -0.3754E-06
（表４）
レンズ群データ
群          始面          焦点距離
1              1             51.00
2              6             -6.83
3             15             10.31
4             22            -16.33
5             24             25.35
（表５）
可変間隔データ
短焦点距離端          中間焦点距離          長焦点距離端
物体距離         無限遠                無限遠                無限遠
d5                0.500                20.019                37.310
d13              22.578                 6.866                 0.478
d21               2.177                 6.592                 2.362
d23               2.550                 6.862                16.954
d25               5.516                 5.126                 2.500
短焦点距離端          中間焦点距離          長焦点距離端
物体距離          ５ｍ                  ５ｍ                  ５ｍ
d5                0.500                 20.019                37.310
d13              22.578                  6.866                 0.478
d21               2.177                  6.646                 3.328
d23               2.542                  6.780                15.563
d25               5.524                  5.154                 2.925
短焦点距離端          中間焦点距離          長焦点距離端
物体距離          ３ｍ                  ３ｍ                  ３ｍ
d5                0.500                 20.019                37.310
d13              22.578                  6.866                 0.478
d21               2.177                  6.683                 3.956
d23               2.536                  6.726                14.659
d25               5.530                  5.172                 3.201
短焦点距離端          中間焦点距離          長焦点距離端
物体距離         0.05ｍ                  1ｍ                   2ｍ
d5                0.500                 20.019                37.310
d13              22.578                  6.866                 0.478
d21               2.177                  6.854                 4.725
d23               1.903                  6.468                13.551
d25               6.163                  5.258                 3.540
（表６）
フォーカシング時の各レンズ群の移動量（像側に向かって移動する方向を正とし、物体側に向かって移動する方向を負とする）
短焦点距離端          中間焦点距離          長焦点距離端
物体距離          ５ｍ                  ５ｍ                  ５ｍ
第１レンズ群      0.000                 0.000                 0.000
第２レンズ群      0.000                 0.000                 0.000
第３レンズ群      0.000                 0.000                 0.000
第４レンズ群      0.000                 0.054                 0.966
第５レンズ群     -0.008                -0.028                -0.425
短焦点距離端          中間焦点距離          長焦点距離端
物体距離          ３ｍ                  ３ｍ                  ３ｍ
第１レンズ群      0.000                 0.000                 0.000
第２レンズ群      0.000                 0.000                 0.000
第３レンズ群      0.000                 0.000                 0.000
第４レンズ群      0.000                 0.090                 1.594
第５レンズ群     -0.014                -0.046                -0.701
短焦点距離端          中間焦点距離          長焦点距離端
物体距離         0.05ｍ                  1ｍ                   2ｍ
第１レンズ群      0.000                 0.000                 0.000
第２レンズ群      0.000                 0.000                 0.000
第３レンズ群      0.000                 0.000                 0.000
第４レンズ群      0.000                 0.262                 2.363
第５レンズ群     -0.647                -0.132                -1.040
【００４２】
［数値実施例２］
図５〜図８と表７〜表１２は、本発明によるズームレンズ系の数値実施例２を示している。図５は、短焦点距離端における無限遠合焦時のレンズ構成図である。図６、図７、図８はそれぞれ、短焦点距離端、中間焦点距離、長焦点距離端それぞれの無限遠合焦時の諸収差図である。表７は面データ、表８は各種データ、表９は非球面データ、表１０はレンズ群データ、表１１は物体距離ごとの各レンズ群の可変間隔データ、表１２は物体距離ごとの各レンズ群のフォーカシング移動量である。
【００４３】
この数値実施例２のレンズ構成は、数値実施例１のレンズ構成と同様である。
【００４４】
（表７）
面データ
面番号          r          d          N(d)        νｄ
1            52.569      1.200      1.83400       37.3
2            26.184      4.033      1.43700       95.1
3          -378.919      0.100
4            25.818      2.924      1.59282       68.6
5           143.641        d5
6*          147.463      0.700      1.76802       49.2
7*            6.159      2.411
8            78.123      1.042      1.80518       25.5
9           -78.123      0.981
10          -12.042      0.600      1.80420       46.5
11           17.241      0.050
12           13.812      1.718      1.92286       20.9
13         -227.661       d13
14絞           ∞        0.000
15*           7.946      1.428      1.58913       61.2
16*         -23.102      0.100
17           21.964      2.664      1.59349       67.0
18          -18.962      0.500      1.91082       35.2
19            6.957      0.573
20            9.322      2.050      1.51680       64.2
21           -8.808       d21
22*         -15.405      1.200      1.49710       81.6
23*          21.370       d23
24*         114.158      1.600      1.54358       55.7
25*         -15.019       d25
26             ∞        0.300      1.51680       64.2
27             ∞        0.560
28             ∞        0.500      1.51680       64.2
29             ∞          -
＊は回転対称非球面である。
（表８）
各種データ
ズーム比（変倍比）    28.65
短焦点距離端          中間焦点距離          長焦点距離端
FNO.            3.5                   5.5                   6.2
f              4.60                 23.52                131.77
W              41.4                   9.5                   1.7
Y              3.50                  4.01                  4.01
fB             0.57                  0.57                  0.57
L             61.83                 73.06                 87.00
d5            0.500                18.603                34.641
d13          22.553                 6.894                 0.453
d21           2.214                 7.420                 2.214
d23           2.551                 6.850                18.488
d25           6.204                 5.492                 3.399
（表９）
非球面データ（表示していない非球面係数は0.00である）
面番号   K          A4           A6           A8          A10
6     0.000   -0.1713E-04   0.2408E-05  -0.2589E-07
7     0.000   -0.1682E-03   0.5299E-05  -0.1714E-06   0.1042E-07
15   -1.000   -0.3200E-04   0.8452E-05  -0.1655E-05  -0.2114E-07
16    0.000    0.1401E-03   0.1151E-04  -0.2336E-05
22    0.000    0.3094E-03   0.1358E-03  -0.1233E-04   0.3438E-06
23    0.000    0.4438E-03   0.9322E-04  -0.5289E-05
24    0.000    0.8774E-04   0.5029E-06  -0.3267E-06   0.3846E-08
25    0.000    0.2864E-03  -0.1079E-04  -0.5357E-08
（表１０）
レンズ群データ
群          始面          焦点距離
1              1             48.13
2              6             -6.65
3             15             10.71
4             22            -17.81
5             24             24.53
（表１１）
可変間隔データ
短焦点距離端          中間焦点距離          長焦点距離端
物体距離         無限遠                無限遠                無限遠
d5                0.500                18.603                34.641
d13              22.553                 6.894                 0.453
d21               2.214                 7.420                 2.214
d23               2.551                 6.850                18.488
d25               6.204                 5.492                 3.399
短焦点距離端          中間焦点距離          長焦点距離端
物体距離          ５ｍ                  ５ｍ                  ５ｍ
d5                0.500                18.603                34.641
d13              22.553                 6.894                 0.453
d21               2.213                 7.481                 3.228
d23               2.541                 6.758                17.028
d25               6.215                 5.523                 3.845
短焦点距離端          中間焦点距離          長焦点距離端
物体距離          ３ｍ                  ３ｍ                  ３ｍ
d5                0.500                18.603                34.641
d13              22.553                 6.894                 0.453
d21               2.212                 7.518                 3.890
d23               2.536                 6.698                16.074
d25               6.221                 5.546                 4.137
短焦点距離端          中間焦点距離          長焦点距離端
物体距離         0.05ｍ                  1ｍ                   2ｍ
d5                0.500                18.603                34.641
d13              22.553                 6.894                 0.453
d21               2.141                 7.698                 4.608
d23               1.898                 6.395                14.469
d25               6.930                 5.669                 5.024
（表１２）
フォーカシング時の各レンズ群の移動量（像側に向かって移動する方向を正とし、物体側に向かって移動する方向を負とする）
短焦点距離端          中間焦点距離          長焦点距離端
物体距離          ５ｍ                  ５ｍ                  ５ｍ
第１レンズ群      0.000                 0.000                 0.000
第２レンズ群      0.000                 0.000                 0.000
第３レンズ群      0.000                 0.000                 0.000
第４レンズ群     -0.001                 0.061                 1.014
第５レンズ群     -0.011                -0.031                -0.446
短焦点距離端          中間焦点距離          長焦点距離端
物体距離          ３ｍ                  ３ｍ                  ３ｍ
第１レンズ群      0.000                 0.000                 0.000
第２レンズ群      0.000                 0.000                 0.000
第３レンズ群      0.000                 0.000                 0.000
第４レンズ群     -0.002                 0.098                 1.676
第５レンズ群     -0.017                -0.054                -0.738
短焦点距離端          中間焦点距離          長焦点距離端
物体距離         0.05ｍ                  1ｍ                   2ｍ
第１レンズ群      0.000                 0.000                 0.000
第２レンズ群      0.000                 0.000                 0.000
第３レンズ群      0.000                 0.000                 0.000
第４レンズ群     -0.073                 0.278                 2.394
第５レンズ群     -0.726                -0.177                -1.625
【００４５】
［数値実施例３］
図９〜図１２と表１３〜表１８は、本発明によるズームレンズ系の数値実施例３を示している。図９は、短焦点距離端における無限遠合焦時のレンズ構成図である。図１０、図１１、図１２はそれぞれ、短焦点距離端、中間焦点距離、長焦点距離端それぞれの無限遠合焦時の諸収差図である。表１３は面データ、表１４は各種データ、表１５は非球面データ、表１６はレンズ群データ、表１７は物体距離ごとの各レンズ群の可変間隔データ、表１８は物体距離ごとの各レンズ群のフォーカシング移動量である。
【００４６】
この数値実施例３のレンズ構成は、以下の点を除いて、数値実施例１のレンズ構成と同様である。
（１）第２レンズ群Ｇ２の正レンズ２４が物体側に凸の正メニスカスレンズである。
（２）第５レンズ群Ｇ５の正単レンズ５１が物体側に凸の正メニスカス単レンズである。
【００４７】
（表１３）
面データ
面番号          r          d          N(d)        νｄ
1            56.118      1.200      1.83400       37.3
2            27.179      4.036      1.43700       95.1
3          -261.181      0.100
4            26.121      2.903      1.59282       68.6
5           147.089        d5
6*          467.498      0.700      1.76802       49.2
7*            6.173      2.569
8            65.731      1.097      1.80518       25.5
9           -65.731      0.897
10          -12.478      0.600      1.77250       49.6
11           20.518      0.050
12           13.540      1.584      1.92286       20.9
13           94.345       d13
14絞           ∞        0.000
15*           6.324      2.956      1.59201       67.0
16*         -19.369      0.100
17           23.736      1.463      1.59349       67.0
18          -14.262      0.500      1.88300       40.8
19            5.480      0.269
20            7.352      1.852      1.48749       70.4
21           -8.824       d21
22*         -16.005      0.820      1.49710       81.6
23*          18.300       d23
24*          13.460      1.745      1.54358       55.7
25*         114.348       d25
26             ∞        0.300      1.51680       64.2
27             ∞        0.560
28             ∞        0.500      1.51680       64.2
29             ∞          -
＊は回転対称非球面である。
（表１４）
各種データ
ズーム比（変倍比）    28.64
短焦点距離端          中間焦点距離          長焦点距離端
FNO.            3.4                   5.3                   6.1
f              4.60                 23.52                131.68
W              41.0                  10.0                   1.8
Y              3.50                  4.01                  4.01
fB             0.57                  0.57                  0.57
L             59.82                 73.91                 87.00
d5            0.500                19.503                34.771
d13          22.711                 7.938                 0.612
d21           4.190                 5.525                 2.208
d23           2.550                 5.179                17.540
d25           2.500                 8.400                 4.499
（表１５）
非球面データ（表示していない非球面係数は0.00である）
面番号   K          A4           A6           A8          A10
6     0.000    0.2053E-03  -0.1647E-05  -0.9665E-09
7     0.000    0.1307E-03   0.6333E-05   0.3966E-07   0.3226E-08
15   -1.000   -0.4813E-04  -0.1417E-04   0.1635E-06  -0.1323E-06
16    0.000   -0.4381E-04  -0.1100E-04  -0.2503E-05
22    0.000    0.2079E-03   0.1808E-03  -0.1814E-04   0.5071E-06
23    0.000    0.3304E-03   0.1337E-03  -0.9177E-05
24    0.000   -0.3652E-03   0.2889E-05  -0.5664E-06  -0.9681E-08
25    0.000   -0.5472E-03  -0.1886E-05  -0.6374E-06
（表１６）
レンズ群データ
群          始面          焦点距離
1              1             48.33
2              6             -6.71
3             15             10.59
4             22            -17.04
5             24             27.90
（表１７）
可変間隔データ
短焦点距離端          中間焦点距離          長焦点距離端
物体距離         無限遠                無限遠                無限遠
d5                0.500                19.503                34.771
d13              22.711                 7.938                 0.612
d21               4.190                 5.525                 2.208
d23               2.550                 5.179                17.540
d25               2.500                 8.400                 4.499
短焦点距離端          中間焦点距離          長焦点距離端
物体距離          ５ｍ                  ５ｍ                  ５ｍ
d5                0.500                19.503                34.771
d13              22.711                 7.938                 0.612
d21               4.192                 5.582                 3.213
d23               2.543                 5.105                16.033
d25               2.505                 8.417                 5.001
短焦点距離端          中間焦点距離          長焦点距離端
物体距離          ３ｍ                  ３ｍ                  ３ｍ
d5                0.500                19.503                 34.771
d13              22.711                 7.938                  0.612
d21               4.194                 5.620                  3.872
d23               2.538                 5.056                 15.044
d25               2.508                 8.428                  5.331
短焦点距離端          中間焦点距離          長焦点距離端
物体距離         0.05ｍ                  1ｍ                   2ｍ
d5                0.500                 19.503                34.771
d13              22.711                  7.938                 0.612
d21               4.390                  5.798                 4.685
d23               1.950                  4.825                13.825
d25               2.900                  8.481                 5.737
（表１８）
フォーカシング時の各レンズ群の移動量（像側に向かって移動する方向を正とし、物体側に向かって移動する方向を負とする）
短焦点距離端          中間焦点距離          長焦点距離端
物体距離          ５ｍ                  ５ｍ                  ５ｍ
第１レンズ群      0.000                 0.000                 0.000
第２レンズ群      0.000                 0.000                 0.000
第３レンズ群      0.000                 0.000                 0.000
第４レンズ群      0.002                 0.057                 1.005
第５レンズ群     -0.005                -0.017                -0.502
短焦点距離端          中間焦点距離          長焦点距離端
物体距離          ３ｍ                  ３ｍ                  ３ｍ
第１レンズ群      0.000                 0.000                 0.000
第２レンズ群      0.000                 0.000                 0.000
第３レンズ群      0.000                 0.000                 0.000
第４レンズ群      0.004                 0.095                 1.664
第５レンズ群     -0.008                -0.028                -0.832
短焦点距離端          中間焦点距離          長焦点距離端
物体距離         0.05ｍ                  1ｍ                   2ｍ
第１レンズ群      0.000                 0.000                 0.000
第２レンズ群      0.000                 0.000                 0.000
第３レンズ群      0.000                 0.000                 0.000
第４レンズ群      0.200                 0.273                 2.477
第５レンズ群     -0.400                -0.081                -1.238
【００４８】
［数値実施例４］
図１３〜図１６と表１９〜表２４は、本発明によるズームレンズ系の数値実施例４を示している。図１３は、短焦点距離端における無限遠合焦時のレンズ構成図である。図１４、図１５、図１６はそれぞれ、短焦点距離端、中間焦点距離、長焦点距離端それぞれの無限遠合焦時の諸収差図である。表１９は面データ、表２０は各種データ、表２１は非球面データ、表２２はレンズ群データ、表２３は物体距離ごとの各レンズ群の可変間隔データ、表２４は物体距離ごとの各レンズ群のフォーカシング移動量である。
【００４９】
この数値実施例４のレンズ構成は、数値実施例３のレンズ構成と同様である。
【００５０】
（表１９）
面データ
面番号          r          d          N(d)        νｄ
1            56.536      1.200      1.83400       37.3
2            27.218      4.052      1.43700       95.1
3          -245.561      0.100
4            26.107      2.911      1.59282       68.6
5           149.173        d5
6*          549.528      0.700      1.76802       49.2
7*            6.133      2.573
8            65.429      1.097      1.80518       25.5
9           -65.429      0.911
10          -12.254      0.600      1.77250       49.6
11           21.843      0.050
12           13.974      1.574      1.92286       20.9
13          113.206       d13
14絞           ∞        0.000
15*           6.333      2.920      1.59201       67.0
16*         -19.364      0.100
17           23.740      1.463      1.59349       67.0
18          -14.161      0.500      1.88300       40.8
19            5.555      0.230
20            7.499      1.769      1.48749       70.4
21           -8.985       d21
22*         -16.593      0.820      1.49710       81.6
23*          17.916       d23
24*          12.959      1.859      1.54358       55.7
25*          85.009       d25
26             ∞        0.300      1.51680       64.2
27             ∞        0.560
28             ∞        0.500      1.51680       64.2
29             ∞          -
＊は回転対称非球面である。
（表２０）
各種データ
ズーム比（変倍比）    28.64
短焦点距離端          中間焦点距離          長焦点距離端
FNO.            3.4                   5.3                   6.2
f              4.60                 23.52                131.72
W              41.0                  10.0                   1.8
Y              3.50                  4.01                  4.01
fB             0.57                  0.57                  0.57
L             59.78                 73.38                 87.00
d5            0.500                19.389                34.602
d13          22.693                 7.806                 0.593
d21           4.181                 5.784                 2.198
d23           2.550                 4.821                17.887
d25           2.500                 8.220                 4.360
（表２１）
非球面データ（表示していない非球面係数は0.00である）
面番号   K          A4           A6           A8          A10
6     0.000    0.2045E-03  -0.1631E-05  -0.7749E-09
7     0.000    0.1163E-03   0.6279E-05   0.4021E-07   0.3137E-08
15   -1.000   -0.5200E-04  -0.1274E-04   0.1089E-06  -0.1327E-06
16    0.000   -0.4596E-04  -0.8872E-05  -0.2588E-05
22    0.000    0.2170E-03   0.1790E-03  -0.1778E-04   0.4508E-06
23    0.000    0.3366E-03   0.1327E-03  -0.9315E-05
24    0.000   -0.3498E-03   0.3775E-05  -0.4844E-06  -0.9462E-08
25    0.000   -0.5320E-03  -0.7792E-07  -0.5982E-06
（表２２）
レンズ群データ
群          始面          焦点距離
1              1             48.13
2              6             -6.72
3             15             10.59
4             22            -17.19
5             24             27.87
（表２３）
可変間隔データ
短焦点距離端          中間焦点距離          長焦点距離端
物体距離         無限遠                無限遠                無限遠
d5                0.500                19.389                34.602
d13              22.693                 7.805                 0.593
d21               4.181                 5.784                 2.198
d23               2.550                 4.821                17.887
d25               2.500                 8.220                 4.360
短焦点距離端          中間焦点距離          長焦点距離端
物体距離          ５ｍ                  ５ｍ                  ５ｍ
d5                0.500                19.389                34.602
d13              22.693                 7.805                 0.593
d21               4.183                 5.850                 3.219
d23               2.542                 4.755                16.458
d25               2.506                 8.220                 4.768
短焦点距離端          中間焦点距離          長焦点距離端
物体距離          ３ｍ                  ３ｍ                  ３ｍ
d5                0.500                19.389                34.602
d13              22.693                 7.805                 0.593
d21               4.185                 5.893                 3.892
d23               2.537                 4.712                15.516
d25               2.509                 8.220                 5.037
短焦点距離端          中間焦点距離          長焦点距離端
物体距離         0.05ｍ                  1ｍ                   2ｍ
d5                0.500                19.389                34.602
d13              22.693                 7.805                 0.593
d21               4.359                 6.100                 4.725
d23               1.926                 4.505                14.350
d25               2.946                 8.220                 5.370
（表２４）
フォーカシング時の各レンズ群の移動量（像側に向かって移動する方向を正とし、物体側に向かって移動する方向を負とする）
短焦点距離端          中間焦点距離          長焦点距離端
物体距離          ５ｍ                  ５ｍ                  ５ｍ
第１レンズ群      0.000                 0.000                 0.000
第２レンズ群      0.000                 0.000                 0.000
第３レンズ群      0.000                 0.000                 0.000
第４レンズ群      0.002                 0.066                 1.021
第５レンズ群     -0.006                 0.000                -0.408
短焦点距離端          中間焦点距離          長焦点距離端
物体距離          ３ｍ                  ３ｍ                  ３ｍ
第１レンズ群      0.000                 0.000                 0.000
第２レンズ群      0.000                 0.000                 0.000
第３レンズ群      0.000                 0.000                 0.000
第４レンズ群      0.004                 0.109                 1.694
第５レンズ群     -0.009                 0.000                 -0.67
短焦点距離端          中間焦点距離          長焦点距離端
物体距離         0.05ｍ                  1ｍ                   2ｍ
第１レンズ群      0.000                 0.000                 0.000
第２レンズ群      0.000                 0.000                 0.000
第３レンズ群      0.000                 0.000                 0.000
第４レンズ群      0.178                 0.316                 2.527
第５レンズ群     -0.446                 0.000                -1.010
【００５１】
［数値実施例５］
図１７〜図２０と表２５〜表３０は、本発明によるズームレンズ系の数値実施例５を示している。図１７は、短焦点距離端における無限遠合焦時のレンズ構成図である。図１８、図１９、図２０はそれぞれ、短焦点距離端、中間焦点距離、長焦点距離端それぞれの無限遠合焦時の諸収差図である。表２５は面データ、表２６は各種データ、表２７は非球面データ、表２８はレンズ群データ、表２９は物体距離ごとの各レンズ群の可変間隔データ、表３０は物体距離ごとの各レンズ群のフォーカシング移動量である。
【００５２】
この数値実施例５のレンズ構成は、以下の点を除いて、数値実施例１のレンズ構成と同様である。
（１）第１レンズ群Ｇ１の正レンズ１２が物体側に凸の正メニスカスレンズであり、この正メニスカスレンズ１２が負メニスカスレンズ１１と接合されていない。
（２）第２レンズ群Ｇ２が、物体側から順に、像側に凹の平凹負レンズ２１’、両凹負レンズ２２’、両凸正レンズ２３’、及び像側に凸の負メニスカスレンズ２４’からなる。両凸正レンズ２３’はその物体側の面が非球面である。
（３）第４レンズ群Ｇ４の両凹負レンズ４１の両面が球面である（非球面ではない）。
（４）カバーガラスＣＧが存在せず、光学フィルタＯＰが、ローパスフィルタ、赤外カットフィルタなどのフィルタ類と、イメージセンサーのカバーガラスとを光学的に等価な１枚の平行平面板に置き換えたものとなっている。
【００５３】
（表２５）
面データ
面番号          r          d          N(d)        νｄ
1            42.097      1.210      1.78590       43.9
2            21.462      0.330
3            21.614      4.235      1.43700       95.1
4           714.083      0.100
5            24.663      3.220      1.49700       81.6
6         -7948.963        d6
7              ∞        0.700      1.88300       40.8
8             6.222      2.639
9           -22.452      0.600      1.83481       42.7
10           18.645      0.100
11*          15.660      2.531      1.82115       24.1
12          -12.858      0.245
13          -10.335      1.200      1.77250       49.6
14          -29.609       d14
15絞           ∞        0.000
16*           6.693      2.102      1.62263       58.2
17*         -24.793      0.206
18           12.248      1.562      1.49700       81.6
19          -16.462      0.700      1.83400       37.3
20            5.501      0.249
21            7.663      1.680      1.48749       70.4
22          -16.439       d22
23          -21.160      0.600      1.51742       52.2
24           10.119       d24
25*          14.090      2.936      1.53110       55.9
26*         -13.466       d26
27             ∞        0.800      1.51680       64.2
28             ∞          -
＊は回転対称非球面である。
（表２６）
各種データ
ズーム比（変倍比）    28.27
短焦点距離端          中間焦点距離          長焦点距離端
FNO.            3.2                   5.1                   6.4
f              4.61                 24.45                130.35
W              40.1                   8.9                   1.7
Y              3.45                  3.96                  3.96
fB             1.76                  1.76                  1.76
L             59.95                 74.09                 87.00
d6            0.573                19.429                33.505
d14          19.884                 6.397                 0.500
d22           2.194                 8.382                 2.386
d24           2.896                 6.459                18.909
d26           4.703                 3.720                 2.000
（表２７）
非球面データ（表示していない非球面係数は0.00である）
面番号   K          A4           A6           A8
11    4.454    0.6009E-04  -0.3712E-05
16   -0.875    0.1855E-03   0.3385E-05
17    0.000    0.2539E-03  -0.5342E-06
25    0.000    0.2548E-03  -0.8626E-05   0.2552E-06
26    0.000    0.5536E-03  -0.1252E-04   0.2804E-06
（表２８）
レンズ群データ
群          始面          焦点距離
1              1             45.65
2              7             -6.58
3             16             10.61
4             23            -13.14
5             25             13.46
（表２９）
可変間隔データ
短焦点距離端          中間焦点距離          長焦点距離端
物体距離         無限遠                無限遠                無限遠
d6                0.573                19.429                33.505
d14              19.884                 6.397                 0.500
d22               2.194                 8.382                 2.386
d24               2.896                 6.459                18.909
d26               4.703                 3.720                 2.000
短焦点距離端          中間焦点距離          長焦点距離端
物体距離          ５ｍ                  ５ｍ                  ５ｍ
d6                0.573                19.429                33.505
d14              19.884                 6.397                 0.500
d22               2.194                 8.459                 3.310
d24               2.891                 6.373                17.622
d26               4.708                 3.729                 2.363
短焦点距離端          中間焦点距離          長焦点距離端
物体距離          ３ｍ                  ３ｍ                  ３ｍ
d6                0.573                19.429                 33.505
d14              19.884                 6.397                  0.500
d22               2.194                 8.510                  3.895
d24               2.888                 6.315                 16.719
d26               4.711                 3.736                  2.681
短焦点距離端          中間焦点距離          長焦点距離端
物体距離         0.05ｍ                  1ｍ                   2ｍ
d6                0.573                19.429                 33.505
d14              19.884                 6.397                  0.500
d22               2.194                 8.744                  4.587
d24               2.506                 6.035                 15.563
d26               5.093                 3.782                  3.145
（表３０）
フォーカシング時の各レンズ群の移動量（像側に向かって移動する方向を正とし、物体側に向かって移動する方向を負とする）
短焦点距離端          中間焦点距離          長焦点距離端
物体距離          ５ｍ                  ５ｍ                  ５ｍ
第１レンズ群      0.000                 0.000                 0.000
第２レンズ群      0.000                 0.000                 0.000
第３レンズ群      0.000                 0.000                 0.000
第４レンズ群      0.000                 0.077                 0.924
第５レンズ群     -0.005                -0.009                -0.363
短焦点距離端          中間焦点距離          長焦点距離端
物体距離          ３ｍ                  ３ｍ                  ３ｍ
第１レンズ群      0.000                 0.000                 0.000
第２レンズ群      0.000                 0.000                 0.000
第３レンズ群      0.000                 0.000                 0.000
第４レンズ群      0.000                 0.128                 1.509
第５レンズ群     -0.008                -0.016                -0.681
短焦点距離端          中間焦点距離          長焦点距離端
物体距離         0.05ｍ                  1ｍ                   2ｍ
第１レンズ群      0.000                 0.000                 0.000
第２レンズ群      0.000                 0.000                 0.000
第３レンズ群      0.000                 0.000                 0.000
第４レンズ群      0.000                 0.362                 2.201
第５レンズ群     -0.390                -0.062                -1.145
【００５４】
［数値実施例６］
図２１〜図２４と表３１〜表３６は、本発明によるズームレンズ系の数値実施例６を示している。図２１は、短焦点距離端における無限遠合焦時のレンズ構成図である。図２２、図２３、図２４はそれぞれ、短焦点距離端、中間焦点距離、長焦点距離端それぞれの無限遠合焦時の諸収差図である。表３１は面データ、表３２は各種データ、表３３は非球面データ、表３４はレンズ群データ、表３５は物体距離ごとの各レンズ群の可変間隔データ、表３６は物体距離ごとの各レンズ群のフォーカシング移動量である。
【００５５】
この数値実施例６のレンズ構成は、以下の点を除いて、数値実施例１のレンズ構成と同様である。
（１）第２レンズ群Ｇ２が、物体側から順に、物体側に凸の負メニスカスレンズ２１’、両凹負レンズ２２’、両凸正レンズ２３’、及び物体側に凹の平凹負レンズ２４’からなる。両凸正レンズ２３’はその物体側の面が非球面である。
（２）第３レンズ群Ｇ３が、物体側から順に、両凸正レンズ３１’、物体側に凸の負メニスカスレンズ３２’、及び両凸正レンズ３３’からなる。両凸正レンズ３１’はその両面が非球面である。
（３）第４レンズ群Ｇ４の両凹負レンズ４１の両面が球面である（非球面ではない）。
【００５６】
（表３１）
面データ
面番号          r          d          N(d)        νｄ
1            54.638      1.200      1.78590       43.9
2            25.673      4.856      1.43700       95.1
3          -353.673      0.100
4            26.206      3.151      1.49700       81.6
5           381.350        d5
6           228.352      0.700      1.88300       40.8
7             7.214      2.741
8           -23.403      0.600      1.83481       42.7
9            23.403      0.100
10*          14.248      2.708      1.82115       24.1
11          -12.744      0.238
12          -10.262      0.600      1.77250       49.6
13             ∞         d13
14絞           ∞        0.000
15*           7.928      1.819      1.62263       58.2
16*         -39.265      0.880
17           20.729      1.400      1.84666       23.8
18            7.270      0.193
19            9.881      1.841      1.49700       81.6
20           -9.881       d20
21          -37.367      0.746      1.62041       60.3
22            7.709       d22
23*          21.452      2.460      1.53110       55.9
24*         -12.542       d24
25             ∞        0.300      1.51680       64.2
26             ∞        0.760
27             ∞        0.300      1.51680       64.2
28             ∞          -
＊は回転対称非球面である。
（表３２）
各種データ
ズーム比（変倍比）    28.27
短焦点距離端          中間焦点距離          長焦点距離端
FNO.            3.2                   4.7                   6.1
f              4.61                 24.46                130.38
W              40.8                   8.9                   1.7
Y              3.45                  3.96                  3.96
fB             1.04                  1.05                  1.05
L             59.43                 72.90                 86.93
d5            0.638                21.581                37.819
d13          20.000                 5.406                 0.500
d20           2.104                 6.159                 2.432
d22           3.145                 6.672                15.410
d24           4.801                 4.345                 2.034
（表３３）
非球面データ（表示していない非球面係数は0.00である）
面番号   K          A4           A6           A8
10    3.823   -0.9055E-04  -0.4230E-05
15   -2.819    0.6010E-03  -0.2300E-05
16    0.000    0.4579E-03   0.2199E-07
23    0.000    0.2263E-03  -0.1590E-05   0.1108E-06
24    0.000    0.3977E-03  -0.6358E-05   0.1746E-06
（表３４）
レンズ群データ
群          始面          焦点距離
1              1             50.93
2              6             -6.58
3             15              9.12
4             21            -10.24
5             23             15.29
（表３５）
可変間隔データ
短焦点距離端          中間焦点距離          長焦点距離端
物体距離         無限遠                無限遠                無限遠
d5                0.638                21.581                37.819
d13              20.000                 5.406                 0.500
d20               2.104                 6.159                 2.432
d22               3.145                 6.672                15.410
d24               4.801                 4.345                 2.034
短焦点距離端          中間焦点距離          長焦点距離端
物体距離          ５ｍ                  ５ｍ                  ５ｍ
d5                0.638                21.581                37.819
d13              20.000                 5.406                 0.500
d20               2.104                 6.203                 3.148
d22               3.141                 6.610                14.694
d24               4.805                 4.363                 2.034
短焦点距離端          中間焦点距離          長焦点距離端
物体距離          ３ｍ                  ３ｍ                  ３ｍ
d5                0.638                21.581                37.819
d13              20.000                 5.406                 0.500
d20               2.105                 6.232                 3.607
d22               3.137                 6.570                14.235
d24               4.808                 4.374                 2.034
短焦点距離端          中間焦点距離          長焦点距離端
物体距離         0.05ｍ                  1ｍ                   2ｍ
d5                0.638                21.581                37.819
d13              20.000                 5.406                 0.500
d20               2.161                 6.370                 4.162
d22               2.799                 6.377                13.680
d24               5.090                 4.429                 2.034
（表３６）
フォーカシング時の各レンズ群の移動量（像側に向かって移動する方向を正とし、物体側に向かって移動する方向を負とする）
短焦点距離端          中間焦点距離          長焦点距離端
物体距離          ５ｍ                  ５ｍ                  ５ｍ
第１レンズ群      0.000                 0.000                 0.000
第２レンズ群      0.000                 0.000                 0.000
第３レンズ群      0.000                 0.000                 0.000
第４レンズ群      0.000                 0.044                 0.716
第５レンズ群     -0.004                -0.018                 0.000
短焦点距離端          中間焦点距離          長焦点距離端
物体距離          ３ｍ                  ３ｍ                  ３ｍ
第１レンズ群      0.000                 0.000                 0.000
第２レンズ群      0.000                 0.000                 0.000
第３レンズ群      0.000                 0.000                 0.000
第４レンズ群      0.001                 0.073                 1.175
第５レンズ群     -0.007                -0.029                 0.000
短焦点距離端          中間焦点距離          長焦点距離端
物体距離         0.05ｍ                  1ｍ                   2ｍ
第１レンズ群      0.000                 0.000                 0.000
第２レンズ群      0.000                 0.000                 0.000
第３レンズ群      0.000                 0.000                 0.000
第４レンズ群      0.057                 0.211                 1.730
第５レンズ群     -0.289                -0.084                 0.000
【００５７】
各数値実施例の各条件式に対する値を表３７に示す。条件式（１）の対応数値は、物体距離が５ｍ−３ｍ−0.05ｍの順に示している。条件式（２）の対応数値は、中間焦点距離にあっては物体距離が５ｍ−３ｍ−１ｍの順に示しており、長焦点距離端にあっては物体距離が５ｍ−３ｍ−２ｍの順に示している。
（表３７）
実施例１
条件式（１）                            0.000-0.000-0.000
条件式（２）（中間焦点距離）          (-0.52)-(-0.51)-(-0.50)
条件式（２）（長焦点距離端）          (-0.44)-(-0.44)-(-0.44)
条件式（３）                                   -0.12
条件式（４）                                    0.08
実施例２
条件式（１）                              0.09-0.12-0.10
条件式（２）（中間焦点距離）          (-0.51)-(-0.55)-(-0.64)
条件式（２）（長焦点距離端）          (-0.44)-(-0.44)-(-0.44)
条件式（３）                                   -0.14
条件式（４）                                   -0.16
実施例３
条件式（１）                         (-0.40)-(-0.50)-(-0.50)
条件式（２）（中間焦点距離）          (-0.30)-(-0.30)-(-0.30)
条件式（２）（長焦点距離端）          (-0.50)-(-0.50)-(-0.50)
条件式（３）                                   -0.13
条件式（４）                                   -0.07
実施例４
条件式（１）                         (-0.33)-(-0.44)-(-0.40)
条件式（２）（中間焦点距離）               0.00-0.00-0.00
条件式（２）（長焦点距離端）          (-0.40)-(-0.40)-(-0.40)
条件式（３）                                   -0.13
条件式（４）                                   -0.04
実施例５
条件式（１）                              0.00-0.00-0.00
条件式（２）（中間焦点距離）          (-0.12)-(-0.13)-(-0.17)
条件式（２）（長焦点距離端）          (-0.39)-(-0.45)-(-0.52)
条件式（３）                                   -0.10
条件式（４）                                    0.35
実施例６
条件式（１）                            0.00-(-0.14)-(-0.20)
条件式（２）（中間焦点距離）          (-0.41)-(-0.40)-(-0.40)
条件式（２）（長焦点距離端）               0.00-0.00-0.00
条件式（３）                                   -0.08
条件式（４）                                    0.66
【００５８】
表３７から明らかなように、数値実施例１〜数値実施例６は、条件式（１）〜（４）を満足しており、諸収差図から明らかなように諸収差は比較的よく補正されている。
【符号の説明】
【００５９】
Ｇ１  正の屈折力の第１レンズ群
１１  負レンズ
１２  正レンズ
１３  正レンズ
Ｇ２  負の屈折力の第２レンズ群
２１  負レンズ
２２  正レンズ
２３  負レンズ
２４  正レンズ
２１’  負レンズ
２２’  負レンズ
２３’  正レンズ
２４’  負レンズ
Ｇ３  正の屈折力の第３レンズ群
３１  正レンズ
３２  正レンズ
３３  負レンズ
３４  正レンズ
３１’  正レンズ
３２’  負レンズ
３３’  正レンズ
Ｇ４  負の屈折力の第４レンズ群
４１  負単レンズ
Ｇ５  正の屈折力の第５レンズ群
５１  正単レンズ
Ｓ  絞り
ＯＰ  光学フィルタ
ＣＧ  カバーガラス
Ｉ  像面
【図１】
0005922474.tif 000002
【図２】
0005922474.tif 000003
【図３】
0005922474.tif 000004
【図４】
0005922474.tif 000005
【図５】
0005922474.tif 000006
【図６】
0005922474.tif 000007
【図７】
0005922474.tif 000008
【図８】
0005922474.tif 000009
【図９】
0005922474.tif 000010
【図１０】
0005922474.tif 000011
【図１１】
0005922474.tif 000012
【図１２】
0005922474.tif 000013
【図１３】
0005922474.tif 000014
【図１４】
0005922474.tif 000015
【図１５】
0005922474.tif 000016
【図１６】
0005922474.tif 000017
【図１７】
0005922474.tif 000018
【図１８】
0005922474.tif 000019
【図１９】
0005922474.tif 000020
【図２０】
0005922474.tif 000021
【図２１】
0005922474.tif 000022
【図２２】
0005922474.tif 000023
【図２３】
0005922474.tif 000024
【図２４】
0005922474.tif 000025
【図２５】
0005922474.tif 000026